【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  遊技盤と、前記遊技盤を着脱自在に保持する保持部材と、前記保持部材に軸着されるとともに前記遊技領域を視認可能に覆う前面扉とからなる交換ユニットを有し、前記交換ユニットが本体基部に交換可能に取り付けられた弾球遊技機において、
前記本体基部に設けられ、制御プログラム又は制御データを上書き可能な第一メモリが実装された第一回路基板と、
前記前面扉の後面に取り付けられ、遊技の実行処理に用いられる制御プログラム又は制御データを格納した第二メモリが実装された第二回路基板と、
前記第一回路基板と前記第二回路基板とを電気的に接続するコネクタとを備え、
前記交換ユニットを前記本体基部に取り付けて前記コネクタを接続すると前記第二メモリの前記制御プログラム又は制御データが前記第一メモリに書き込まれ、前記第一回路基板は前記第一メモリに書き込まれた前記制御プログラム又は制御データに基づいて遊技の実行処理を行うことを特徴とする弾球遊技機。
【請求項２】  前記遊技盤の前面に形成された遊技領域の外側を覆う遊技領域規制枠と、前記遊技領域の入賞口に入賞した遊技球が流下する球通路が前面に形成され、前記遊技盤の背面に取り付けられる支持体とを前記遊技盤に着脱自在に取り付けたことを特徴とする請求項１記載の弾球遊技機。
【請求項３】  前記制御プログラム又は制御データは、弾球遊技機の機種ごとに異なる制御プログラム又は制御データと、機種に関わらない共通の制御プログラム又は制御データとから構成され、
前記第一メモリに、機種に関わらず共通の制御プログラム又は制御データを予め格納したことを特徴とする請求項１又は２記載の弾球遊技機。
【手続補正２】
【補正対象書類名】明細書
【補正対象項目名】０００６
【補正方法】変更
【補正の内容】
【０００６】
上記目的を達成するために、本発明の弾球遊技機は、遊技盤と、前記遊技盤を着脱自在に保持する保持部材と、前記保持部材に軸着されるとともに前記遊技領域を視認可能に覆う前面扉とからなる交換ユニットを有し、前記交換ユニットが本体基部に交換可能に取り付けられた弾球遊技機において、前記本体基部に設けられ、制御プログラム又は制御データを上書き可能な第一メモリが実装された第一回路基板と、前記前面扉の後面に取り付けられ、遊技の実行処理に用いられる制御プログラム又は制御データを格納した第二メモリが実装された第二回路基板と、前記第一回路基板と前記第二回路基板とを電気的に接続するコネクタとを備え、前記交換ユニットを前記本体基部に取り付けて前記コネクタを接続すると前記第二メモリの前記制御プログラム又は制御データが前記第一メモリに書き込まれ、前記第一回路基板は前記第一メモリに書き込まれた前記制御プログラム又は制御データに基づいて遊技の実行処理を行うものである。
【手続補正３】
【補正対象書類名】明細書
【補正対象項目名】０００８
【補正方法】変更
【補正の内容】
【０００８】
なお、前記遊技盤の前面に形成された遊技領域の外側を覆う遊技領域規制枠と、前記遊技領域の入賞口に入賞した遊技球が流下する球通路が前面に形成され、前記遊技盤の背面に取り付けられる支持体とを前記遊技盤に着脱自在に取り付けることが好ましい。
【手続補正４】
【補正対象書類名】明細書
【補正対象項目名】０００９
【補正方法】変更
【補正の内容】
【０００９】
また、前記制御プログラム又は制御データは、弾球遊技機の機種ごとに異なる制御プログラム又は制御データと、機種に関わらない共通の制御プログラム又は制御データとから構成され、前記第一メモリに、機種に関わらず共通の制御プログラム又は制御データを予め格納することが好ましい。
【手続補正５】
【補正対象書類名】明細書
【補正対象項目名】００１０
【補正方法】削除
【補正の内容】
【手続補正６】
【補正対象書類名】明細書
【補正対象項目名】００１４
【補正方法】変更
【補正の内容】
【００１４】
図３に示すように、遊技盤２５には、パチンコ機でのメインプログラム（制御プログラム）や、スピーカ、ランプ及び図柄表示装置４６における演出プログラム（制御プログラム）が記憶された制御ＲＯＭ（第二メモリ）３０の他に、スピーカ、ランプ及び図柄表示装置等の遊技作動装置にて使用される制御データ等が記憶されているデータＲＯＭ（第二メモリ）３１及びメモリコントローラ（図示せず）が組み付けられた回路装置（第二回路基板）３２が取り付けられている。この回路装置３２には、一端にコネクタ３３が取り付けられたケーブル３４が取り付けられている。コネクタ３３は、パチンコ機２の基本的制御を行う制御手段として機能する主制御回路装置（第一回路基板）４０のケーブル４１の一端に取り付けられたコネクタ４２と接続されることで、回路装置３２と主制御回路装置４０とが電気的に接続される。
【手続補正７】
【補正対象書類名】明細書
【補正対象項目名】００１７
【補正方法】変更
【補正の内容】
【００１７】
主制御回路装置４０は、ＣＰＵ５２及びＲＡＭ（第一メモリ）５３を備えている。ＣＰＵ５２は、このパチンコ機２の電気的統制を行うものであり、制御プログラムや演出プログラム等の制御プログラムに基づいてパチンコ機２の基本動作を行う。また、ＲＡＭ５１は、回路装置３２に組み込まれた制御ＲＯＭ３０に記憶された制御プログラム及びデータＲＯＭ３１に記憶された制御データを記憶させるために設けられている。この主制御回路装置４０は、図柄制御回路装置や、音声制御回路装置４８等の各種回路装置に対してそれぞれケーブル５２，５３により接続されている。なお、本実施形態では、主制御回路装置４０に記憶手段であるＲＡＭ５１を組み込んだが、これに限定する必要はなく、ＲＡＭ５１を設けずに、制御ＲＯＭ３０及びデータＲＯＭ３１から直接制御プログラム及び制御データを読み出して、パチンコ機２の基本動作を行うようにしてもよい
【手続補正８】
【補正対象書類名】明細書
【補正対象項目名】００２５
【補正方法】変更
【補正の内容】
【００２５】
また、この他に、交換ユニット７５は、図６で示す遊技盤７１、遊技領域規制枠７２及び球通路を有する部材７３から構成された遊技盤ユニット７６の他に、遊技盤ユニット７６に設けられる遊技領域７６ａを視認させる回動自在な前面扉７７、遊技盤ユニット７６及び前面扉７７を着脱自在に保持する保持部材７８から構成してもよい。この場合、コストダウンを効率よく行う場合には、機種に依存して交換すべき部品となる、遊技盤や前面扉７７に制御ＲＯＭやデータＲＯＭを備えた回路装置（第二メモリ）を組み付けることが最も有効である。このうち、前面扉７７の後面７７ａに回路装置を組み付けた場合には、回路装置が前面扉７７と保持部材７８との間に位置することになるので、前面扉７７が閉じることによって保持部材及び前面扉による密閉空間に回路装置が配設されることになり、結果的に封印処理を行うことができる。なお、前面扉に施錠手段を備えているものであれば、施錠手段を解除することで前面扉が開くようになり、前面扉を開けることで、記憶手段を交換することが可能となる。なお、回路装置の組付け箇所は、これに限定する必要はなく、球通路を有する部材７３、遊技領域規制枠７２又は保持部材７８に組み付けてもよい。この場合、図示はしないが、制御手段となる主制御回路装置や、演出用（音声、発光、画像表示用）の制御回路装置は、据え置きユニットに組み付けられる。なお、この場合、保持枠には、上記遊技盤ユニット７６の他に、遊技領域を区画するためのガイドレールが組み付けられた遊技盤や、この遊技盤と球通路を有する部材とを一体にした遊技盤が組み付けられてもよいものとする。なお、符号７９は、交換ユニットが組み付けられる据え置きユニットである。
【手続補正９】
【補正対象書類名】明細書
【補正対象項目名】００２７
【補正方法】変更
【補正の内容】
【００２７】
これらＲＯＭのうち、発光データのうち、機種に依存するデータ（制御データ）が記憶されたＲＯＭ９０を遊技領域規制枠８２に組み付ける。支持体８３に、音声データ及び画像データのうち機種に依存する音声データ（制御データ）及び画像データ（制御データ）をそれぞれ記憶したＲＯＭ（第二メモリ）９１を組み付ける。また、遊技盤８１にメインプログラム、演出プログラム等を記憶した制御ＲＯＭ９３を組み付ける。また、制御データのうち、共通となる制御データ（音声データ、発光データ及び画像データ）を共通ＲＯＭ（第一メモリ）９４に記憶させ、この共通ＲＯＭ９４を保持部材８５に組み付ける。このような構成を取ることで、新しい機種への交換時には、遊技盤ユニット８４のみを交換することで、各ＲＯＭに記憶された制御プログラムや、機種に依存する制御データのみを交換することができるとともに、機種交換の際にかかる費用を効率良く低減させることができる。この場合、ＲＯＭとしてＥＥＰＲＯＭやフラッシュメモリ等の不揮発性メモリを使用することで、機種交換の際に、これらメモリに記憶されたデータを書き換えることができるので、遊技領域規制枠８２、支持体９１を共通の部品として使用することができるとともに、機種交換の際にかかる費用を効率良く低減させることができる。なお、符号９５は、図柄表示装置である。なお、符号９６〜９９は各ＲＯＭと制御回路装置とを接続するコネクタである。